【手続補正書】
【提出日】平成26年4月8日(2014.4.8)
【手続補正１】
【補正対象書類名】特許請求の範囲
【補正対象項目名】全文
【補正方法】変更
【補正の内容】
【特許請求の範囲】
【請求項１】
水中油型または水中脂質型乳濁液から脂質相または油相を濃縮および分離するためのシステムであって、
水と微視的油滴または脂質との乳濁液が流れるフローチャンバであって、前記フローチャンバは、１つ以上の流入口および流出口を含み、前記フローチャンバ断面の寸法は、発生音に対応する波長より大きい、フローチャンバと、
超音波変換器であって、前記超音波変換器は、超音波周波数の振動電圧信号によって駆動される、超音波変換器と、
反射体であって、前記反射体は、音響定常波がホスト媒質中で発生するように配置されている、反射体と
を含み、
音場が、油滴または脂質を含む二次相成分に音響放射力を及ぼし、その結果、前記油滴が、流体抗力に対する音場に捕捉され、それにより、大量の前記二次相成分が、経時的に回収され、
油滴の迅速な回収によって油滴が凝集形成するか、または、微視的油滴の巨大な凝集体が形成され、その結果、液滴凝集体の浮力が、油滴凝集体に前記フローチャンバの上部への浮遊を強制するのに十分であり、その結果、長期にわたって全ての回収された油滴を示す油層が、前記フローチャンバ上部に蓄積され、
この油層の採取のために従来の手段を使用することができる、システム。
【請求項２】
一定周波数の励起で駆動される、請求項１に記載のシステム。
【請求項３】
周波数掃引パターンを使用して駆動され、前記周波数掃引の効果は、回収された油滴を音響定常波の方向に沿って変換器面または反対側の反射体面のいずれかに移行することである、請求項１に記載のシステム。
【請求項４】
圧電変換器以外の任意の型の超音波変換器によって駆動される、請求項１に記載のシステム。
【請求項５】
流体の流れに対して鉛直以外の方向に向けられ、音場方向への油滴の移行を周波数掃引法によって達成することができる、請求項１に記載のシステム。
【請求項６】
ビルジ水精製のために使用することができる、請求項１に記載のシステム。
【請求項７】
ビルジタンクから水および油を分離するだけでなく、脆弱な天然の水界生態系を汚染し得る水生ヒッチハイカーまたは望ましくない原生動物も破壊する、請求項６に記載のシステム。
【請求項８】
前記フローチャンバは、鉛直方向に配向する、請求項１に記載のシステム。
【請求項９】
前記超音波変換器は、前記フローチャンバの壁内に埋め込まれている、請求項１に記載のシステム。
【請求項１０】
前記超音波変換器は、１０万から数百万サイクル／秒の範囲、数十ボルトの振幅での超音波周波数の振動電圧信号によって駆動される、請求項１に記載のシステム。
【請求項１１】
前記超音波変換器は、圧電材料で作製されている、請求項１に記載のシステム。
【請求項１２】
反射体は、変換器の反対側に配置されている、請求項１に記載のシステム。
【請求項１３】
前記音響定常波は、流路中の平均流の方向と垂直のホスト媒質中に生じる、請求項１に記載のシステム。
【請求項１４】
前記音響放射力は、音響泳動力である、請求項１に記載のシステム。
【請求項１５】
壁は、流動を最小にする様式で変換器要素の周囲に設置されない、請求項１に記載のシステム。
【請求項１６】
水より密度の高い粒子を濃縮および分離するためのシステムであって、
夾雑粒子を含む水が流れるフローチャンバであって、前記フローチャンバは、１つ以上の流入口および流出口を含み、前記フローチャンバ断面の寸法は、発生音に対応する波長より大きい、フローチャンバと、
超音波変換器であって、前記超音波変換器は、超音波周波数の振動電圧信号によって駆動される、超音波変換器と、
反射体であって、前記反射体は、音響定常波がホスト媒質中で発生するように配置されている、反射体と
を含み、
音場が、夾雑粒子を含む二次相成分に音響放射力を及ぼし、その結果、前記粒子が、流体抗力に対する音場に捕捉され、それにより、大量の前記二次相成分が経時的に回収され、
粒子の迅速な回収によって粒子が凝集形成し、その結果、粒子凝集体の引力が、粒子凝集体に前記フローチャンバの底部への沈殿を強制するのに十分であり、その結果、長期にわたって全ての回収された粒子を示す粒子層が、前記フローチャンバの底部に蓄積され、
この粒子層の採取のために従来の手段を使用することができる、システム。
【請求項１７】
一定周波数の励起で駆動される、請求項１６に記載のシステム。
【請求項１８】
周波数掃引パターンを使用して駆動され、前記周波数掃引の効果は、回収された粒子を音響定常波の方向に沿って変換器面または反対側の反射体面のいずれかに移行することである、請求項１６に記載のシステム。
【請求項１９】
圧電変換器以外の任意の型の超音波変換器によって駆動される、請求項１６に記載のシステム。
【請求項２０】
流体の流れに対して鉛直以外の方向に向けられ、音場方向への粒子の移行を周波数掃引法によって達成することができる、請求項１６に記載のシステム。
【請求項２１】
ビルジ水精製のために使用することができる、請求項１６に記載のシステム。
【請求項２２】
前記フローチャンバは、鉛直方向に配向する、請求項１６に記載のシステム。
【請求項２３】
前記超音波変換器は、前記フローチャンバの壁内に埋め込まれている、請求項１６に記載のシステム。
【請求項２４】
前記超音波変換器は、１０万から数百万サイクル／秒の範囲、数十ボルトの振幅での超音波周波数の振動電圧信号によって駆動される、請求項１６に記載のシステム。
【請求項２５】
前記超音波変換器は、圧電材料で作製されている、請求項１６に記載のシステム。
【請求項２６】
反射体が変換器の反対側に配置されている、請求項１６に記載のシステム。
【請求項２７】
前記音響定常波は、流路中の平均流の方向と垂直のホスト媒質中に生じる、請求項１６に記載のシステム。
【請求項２８】
前記音響放射力は、音響泳動力である、請求項１６に記載のシステム。
【請求項２９】
壁は、流動を最小にする様式で変換器要素の周囲に設置されない、請求項１６に記載のシステム。
【手続補正２】
【補正対象書類名】明細書
【補正対象項目名】００１１
【補正方法】変更
【補正の内容】
【００１１】
【表１】
2013523449.tif 000001
三次元音場について、より一般的な音響放射力の計算アプローチが必要である。ゴリコフの式をこのために使用することができる［５］。ゴリコフは、任意の音場に適用可能な音響放射力Ｆａｃの式を導出した。一次音響放射力は、以下：
【手続補正３】
【補正対象書類名】明細書
【補正対象項目名】００４４
【補正方法】変更
【補正の内容】
【００４４】
本方法は、さらに、音響定常波の周波数を掃引し、それにより、濃縮された粒子を回収ポケット中に導く工程を含むことができる。２つ以上の音響定常波は、高強度の音圧が得られるパルス波形であり得る。
本発明は、例えば以下の項目を提供する。
（項目１）
水中油型または水中脂質型乳濁液から脂質相または油相を濃縮および分離するためのシステムであって、
水と微視的油滴または脂質との乳濁液が流れるフローチャンバであって、前記フローチャンバは、１つ以上の流入口および流出口を含み、前記フローチャンバ断面の寸法は、発生音に対応する波長より大きい、フローチャンバと、
超音波変換器であって、前記超音波変換器は、超音波周波数の振動電圧信号によって駆動される、超音波変換器と、
反射体であって、前記反射体は、音響定常波がホスト媒質中で発生するように配置されている、反射体と
を含み、
音場が、油滴または脂質を含む二次相成分に音響放射力を及ぼし、その結果、前記油滴が、流体抗力に対する音場に捕捉され、それにより、大量の前記二次相成分が、経時的に回収され、
油滴の迅速な回収によって油滴が凝集形成するか、または、微視的油滴の巨大な凝集体が形成され、その結果、液滴凝集体の浮力が、油滴凝集体に前記フローチャンバの上部への浮遊を強制するのに十分であり、その結果、長期にわたって全ての回収された油滴を示す油層が、前記フローチャンバ上部に蓄積され、
この油層の採取のために従来の手段を使用することができる、システム。
（項目２）
一定周波数の励起で駆動される、項目１に記載のシステム。
（項目３）
周波数掃引パターンを使用して駆動され、前記周波数掃引の効果は、回収された油滴を音響定常波の方向に沿って変換器面または反対側の反射体面のいずれかに移行することである、項目１に記載のシステム。
（項目４）
圧電変換器以外の任意の型の超音波変換器によって駆動される、項目１に記載のシステム。
（項目５）
流体の流れに対して鉛直以外の方向に向けられ、音場方向への油滴の移行を周波数掃引法によって達成することができる、項目１に記載のシステム。
（項目６）
ビルジ水精製のために使用することができる、項目１に記載のシステム。
（項目７）
ビルジタンクから水および油を分離するだけでなく、脆弱な天然の水界生態系を汚染し得る水生ヒッチハイカーまたは望ましくない原生動物も破壊する、項目６に記載のシステム。
（項目８）
前記フローチャンバは、鉛直方向に配向する、項目１に記載のシステム。
（項目９）
前記超音波変換器は、前記フローチャンバの壁内に埋め込まれている、項目１に記載のシステム。
（項目１０）
前記超音波変換器は、１０万から数百万サイクル／秒の範囲、数十ボルトの振幅での超音波周波数の振動電圧信号によって駆動される、項目１に記載のシステム。
（項目１１）
前記超音波変換器は、圧電材料で作製されている、項目１に記載のシステム。
（項目１２）
反射体は、変換器の反対側に配置されている、項目１に記載のシステム。
（項目１３）
前記音響定常波は、流路中の平均流の方向と垂直のホスト媒質中に生じる、項目１に記載のシステム。
（項目１４）
前記音響放射力は、音響泳動力である、項目１に記載のシステム。
（項目１５）
壁は、流動を最小にする様式で変換器要素の周囲に設置されない、項目１に記載のシステム。
（項目１６）
水より密度の高い粒子を濃縮および分離するためのシステムであって、
夾雑粒子を含む水が流れるフローチャンバであって、前記フローチャンバは、１つ以上の流入口および流出口を含み、前記フローチャンバ断面の寸法は、発生音に対応する波長より大きい、フローチャンバと、
超音波変換器であって、前記超音波変換器は、超音波周波数の振動電圧信号によって駆動される、超音波変換器と、
反射体であって、前記反射体は、音響定常波がホスト媒質中で発生するように配置されている、反射体と
を含み、
音場が、夾雑粒子を含む二次相成分に音響放射力を及ぼし、その結果、前記粒子が、流体抗力に対する音場に捕捉され、それにより、大量の前記二次相成分が経時的に回収され、
粒子の迅速な回収によって粒子が凝集形成し、その結果、粒子凝集体の引力が、粒子凝集体に前記フローチャンバの底部への沈殿を強制するのに十分であり、その結果、長期にわたって全ての回収された粒子を示す粒子層が、前記フローチャンバの底部に蓄積され、
この粒子層の採取のために従来の手段を使用することができる、システム。
（項目１７）
一定周波数の励起で駆動される、項目１に記載のシステム。
（項目１８）
周波数掃引パターンを使用して駆動され、前記周波数掃引の効果は、回収された粒子を音響定常波の方向に沿って変換器面または反対側の反射体面のいずれかに移行することである、項目１に記載のシステム。
（項目１９）
圧電変換器以外の任意の型の超音波変換器によって駆動される、項目１に記載のシステム。
（項目２０）
流体の流れに対して鉛直以外の方向に向けられ、音場方向への粒子の移行を周波数掃引法によって達成することができる、項目１に記載のシステム。
（項目２１）
ビルジ水精製のために使用することができる、項目１に記載のシステム。
（項目２２）
前記フローチャンバは、鉛直方向に配向する、項目１に記載のシステム。
（項目２３）
前記超音波変換器は、前記フローチャンバの壁内に埋め込まれている、項目１に記載のシステム。
（項目２４）
前記超音波変換器は、１０万から数百万サイクル／秒の範囲、数十ボルトの振幅での超音波周波数の振動電圧信号によって駆動される、項目１に記載のシステム。
（項目２５）
前記超音波変換器は、圧電材料で作製されている、項目１に記載のシステム。
（項目２６）
反射体が変換器の反対側に配置されている、項目１に記載のシステム。
（項目２７）
前記音響定常波は、流路中の平均流の方向と垂直のホスト媒質中に生じる、項目１に記載のシステム。
（項目２８）
前記音響放射力は、音響泳動力である、項目１に記載のシステム。
（項目２９）
壁は、流動を最小にする様式で変換器要素の周囲に設置されない、項目１に記載のシステム。
【手続補正４】
【補正対象書類名】図面
【補正対象項目名】図２
【補正方法】変更
【補正の内容】
【図２】
2013523449.tif 000002